(57)【要約】【課題】電磁波の遮蔽能力に優れることは勿論のこと、耐久性を大幅に改善した電磁波防護具を提供する。【解決手段】身体の部位に装着され、電磁波から前記部位を遮蔽するための電磁波防護具であって、導電性繊維からなるメッシュ状で、前記部位の外形に対応する形状の電磁波遮断ネットと、電磁波遮断ネットを包囲する樹脂製カバーとを備える電磁波防護具。【選択図】図３
2019210564.tif 000002
【特許請求の範囲】
【請求項１】
身体の部位を電磁波から遮蔽するために、前記部位に装着する電磁波防護具であって、
導電性繊維からなるメッシュ状で、前記部位の外形に対応する形状の電磁波遮断ネットと、
前記電磁波遮断ネットを包囲する樹脂製カバーと、
を備えることを特徴とする電磁波防護具。
【請求項２】
装着した際に、前記部位と前記樹脂製カバーとの間の隙間を閉鎖するための閉鎖手段を備えることを特徴とする請求項１記載の電磁波防護具。
【請求項３】
ＭＲＩ検査の患者用であることを特徴とする請求項１または２記載の電磁波防護具。
【請求項４】
心臓ペースメーカーを使用している患者用であることを特徴とする請求項１〜３の何れか１項に記載の電磁波防護具。
【請求項５】
カプセル内視鏡検査の患者用であることを特徴とする請求項１または２記載の電磁波防護具。
【請求項６】
マイクロ波温熱治療の患者用であることを特徴とする請求項１または２記載の電磁波防護具。
【発明の詳細な説明】
【技術分野】
【０００１】
本発明は、電磁波を遮蔽するために身体の任意の部位に装着する電磁波防護具に関する。
【背景技術】
【０００２】
家庭電気製品やＯＡ機器、エンジンやモーター、溶接機械等から発生する電磁波による人体への影響が問題になっており、例えば心臓ペースメーカー等の体内埋込型医療機器を使用している患者は、電磁波による心臓ペースメーカー等の体内埋込型医療機器が誤作動を起こす心配を抱えている。また、エンジンやモーター等の製造現場や、溶接現場では、強い電磁波が発生するため、心臓ペースメーカー等の体内埋込型医療機器を使用している作業員はこれらの現場で作業することが禁止されている。
【０００３】
このような背景から、本出願人は特許文献１において、導電性繊維からなるメッシュ状の電磁波遮断ネットからなり、心臓ペースメーカー等の体内埋込型医療機器を使用している患者に着用させる医療用インナーウエアやカプセル内視鏡検査の際に電磁波の影響で内視鏡画像が途切れるのを防止する電磁波防護服、さらにマイクロ波温熱治療器の電磁波から生殖器を守る電磁波防護具を提案している。しかしながら、これらの医療用インナーウエアは、導電性繊維に銀メッキを施して金属アレルギーの発症を抑止したり、耐久性の向上を図ったりしているが、人体に直接触れるため洗濯は不可避であり、汗などで銀メッキが塩化や硫化し、また人体や他の衣類との接触もあり、経年劣化は避けられない。
【０００４】
また、ＭＲＩ検査では患者が強いＲＦパルス（静磁場に垂直な方向に照射する電磁波で主に６４ＭＨｚ、１２８ＭＨｚ、２５６ＭＨｚの電磁波を利用している）を受けるため、心臓ペースメーカーを使用している患者は電磁波の影響を受けないようペースメーカー本体やペースメーカーと心臓を繋いでいるリード線を電磁遮蔽する必要がある。
また、指輪やアクセサリー、体内に埋め込まれている非磁性金属(金属ステント・金属ワイヤー・人工関節等)の発熱、入れ墨などの染料に含まれる金属成分の発熱や変色を防止するため電磁波遮蔽する必要がある。
さらにＭＲＩのガントリ、コイル、ケーブルと手の接触や、身体と腕によるループができた場合の誘導電流による火傷を予防するため電磁遮蔽する必要がある。
他に、マイクロ波温熱治療器の電磁波が生殖器官にも影響を与えるおそれがあるため、下腹部を遮蔽する必要がある。
上記の人体への電磁波による影響予防以外に、ＭＲＩ撮影時にＲＦパルスを遮蔽することにより折り返しアーチファクト（反射による映り込み）を抑制することができる。
【０００５】
ＭＲＩ検査時にこれらの部位に装着し、ＲＦパルスから遮蔽するための電磁波防護具として、特許文献１に記載の医療用インナーウエアを使用することもできるが、上記したように経時劣化の問題や洗濯などの取扱に煩雑さがある。
【先行技術文献】
【特許文献】
【０００６】
【特許文献１】特許第４２１０３２６号公報
【発明の概要】
【発明が解決しようとする課題】
【０００７】
本発明はこのような状況に鑑みてなされたものであり、電磁波の遮蔽能力に優れることは勿論のこと、耐久性と洗濯などの取扱を大幅に改善した電磁波防護具を提供することを目的とする。
【課題を解決するための手段】
【０００８】
上記課題を解決するために、本発明は下記の電磁波防護具を提供する。
（１）身体の部位を電磁波から遮蔽するために、前記部位に装着する電磁波防護具であって、  導電性繊維からなるメッシュ状で、前記部位の外形に対応する形状の電磁波遮断ネットと、
前記電磁波遮断ネットを包囲する樹脂製カバーと、
を備えることを特徴とする電磁波防護具。
（２）装着した際に、前記部位と前記樹脂製カバーとの間の隙間を閉鎖するための閉鎖手段を備えることを特徴とする上記（１）記載の電磁波防護具。
（３）ＭＲＩ検査の患者用であることを特徴とする上記（１）または（２）記載の電磁波防護具。
（４）心臓ペースメーカーを使用している患者用であることを特徴とする上記（１）〜（３）の何れか１項に記載の電磁波防護具。
（５）カプセル内視鏡検査の患者用であることを特徴とする（１）または（２）記載の電磁波防護具。
（６）マイクロ波温熱治療の患者用であることを特徴とする（１）または（２）記載の電磁波防護具。
【発明の効果】
【０００９】
本発明の電磁波防護具では、導電性繊維をメッシュ状に編んだ電磁波遮断ネットが優れた電磁波の遮蔽効果を発揮する。また、表面が樹脂製カバーであるため、汚れても、固く絞った濡れタオルやアルコール除菌クロスで拭くだけで簡単に汚れを落とすことができ、洗濯が不要になるとともに、表面が滑らかであるため摩耗も少ない。そのため、本発明の電磁波防護具は、優れた電磁波遮蔽効果を、従来よりも長期間維持することができる。また、閉鎖手段により、身体の装着部位との隙間を極力無くして電磁波の遮蔽をより確実に行うことができるとともに、様々な体形や体格の患者に対応することができる。
【図面の簡単な説明】
【００１０】
【図１】電磁波防護具に使用される電磁波遮断ネットを示す正面図である。
【図２】電磁波防護具の断面図である。
【図３】電磁波防護具の一例として、胸部・腹部用電磁波防護具を示す模式図である。
【図４】電磁波防護具の他の例として、下腹部用電磁波防護具を示す模式図である。
【図５】電磁波防護具の他の例として、手・足・指用電磁波防護具を示す模式図である。
【図６】電磁波防護具の他の例として、頸部用電磁波防護具を示す模式図であり、同図（Ａ）はその展開図であり、同図（Ｂ）は装着状態を示す斜視図である。
【発明を実施するための形態】
【００１１】
以下、本発明に関して図面を参照して詳細に説明する。
【００１２】
本発明の電磁波防護具は、電磁波遮断ネットを樹脂製カバーで包囲したものである。図１に電磁波遮断ネット１の正面図を示すが、導電性繊維１０をメッシュ状に編んだものであり、柔軟性や伸縮性を有し、自由に変形可能である。導電性繊維１０としては、銀や銅、ニッケル等の金属繊維の他、カーボン繊維糸等とポリエステル等の合成樹脂繊維糸とを縒り合わせた導電性の縒り糸、２本以上の銀メッキをした単繊維に縒りをかけた縒り糸等を使用できる。そして、導電性繊維１０を例えばトリコット編み機のような一般的な編み機で編んで電磁波遮断ネット１とすることができる。尚、図では６角形に編んでいるが、他の形状でも構わない。
【００１３】
また、電磁波遮断ネット１として、特許文献１に記載の電磁波遮断ネットを参照することができ、本出願人が販売しているメディカル・エイド株式会社製「ＭＧネット」を使用することもできる。
【００１４】
電磁波遮断ネット１は、一枚でもよいが、複数枚重ねて使用することで、電磁波の遮蔽効果が高まる。
【００１５】
そして、電磁波遮断ネット１を、装着する身体の部位の外形に合わせた形状とし、樹脂製カバーで包囲して本発明の電磁波防護具となる。図２はその断面図であるが、大気側となる表地２ａと、身体側となる裏地２ｂとを樹脂製のシートとし、電磁波遮断ネット１を挟み、表地２ａと裏地２ｂとを重ねた周縁を縫合したものである。表地２ａ及び裏地２ｂの樹脂製のシートが樹脂製カバー２となる。また、電磁波遮断ネット１と、裏地２ａ及び裏地２ｂとは接合しておらず、それぞれ自由に変形可能である。
【００１６】
樹脂製カバー２となる表地２ａ及び裏地２ｂは共に樹脂製のシートであり、撥水性や防水性を有するため、固く絞った群れタオルやアルコール除菌クロス布で拭き取るだけで汚れを除去することができ、電磁波防護具を洗濯する必要がない。また、表面が滑らかであり、他の衣服との摩耗が少なく、耐久性にも優れる。更に、着色も可能であり、意匠性を高めることもできる。
【００１７】
尚、樹脂には制限はなく、広く衣類に使用されているものであれば使用でき、ポリアミド（ナイロン）やポリエステル等を使用できる。ポリアミドやポリエステルは、ある程度の耐熱性を有するため、汚れを拭き取るときに温水を用いることもでき、汚れ除去性能にも優れている。
【００１８】
本発明の電磁波防護具は、上記のように電磁波遮断ネット１を樹脂製カバー２で包囲したものであり、装着する身体の部位に応じて種々の形態を採ることができる。電磁防護具の縫製上のつなぎ目は、電磁波遮断ネット同士が電気的に繋がるように加工されており増す。図３〜図６に、ＭＲＩ検査時に使用される各種の電磁波防護具を例示する。
【００１９】
図３は、胸部・腹部を防護するための電磁波防護具（以下「胸部・腹部用電磁波防護具」）を示す模式図であり、この胸部・腹部用電磁波防護具２０は、全体として所謂「ベスト」状を呈している。電磁波遮断ネットは、導電性繊維をメッシュ状に編んだものをベスト状にしたものであり、例えばメディカル・エイド株式会社製「ＭＧネット」からなるベスト（図示せず）である。そして、この電磁波遮断ネットのベストを、例えばポリアミド製の表地２１ａ及び裏地２１ｂで挟み、重ねた周縁を縫合して胸部・腹部用電磁波防護具２０が得られる。この胸部・腹部用電磁波防護具２０では、装着時に電磁波遮断ネットが患者の胸部、腹部及び背中を覆うため、ＭＲＩ検査時に心臓ペースメーカーを使用している患者の保護や、胸部に埋め込められている非磁性金属(金属ステント・金属ワイヤー等)の発熱や刺青などの染料に含まれる金属成分の発熱や変色を予防することができる。
さらに、頭部ＭＲＩ撮影時に胸部のＲＦパルスを遮蔽することにより、胸部の折り返しアーチファクト（反射による映り込み）を抑制することができます。
【００２０】
また、胸部・腹部用電磁波防護具２０は、紐２２で胴部を縛るようにすることもできる。更には、胸部から腹部にかけて面ファスナー２３で開閉させることもできる。紐２２や面ファスナー２３により、装着時に胸部や腹部、背中との隙間を無くすることができるとともに、様々な体形や体格の患者に対応できるようになる。
【００２１】
図４は下腹部を防護するための電磁波防護具（以下「下腹部用電磁波防護具」）であり、この下腹部用電磁波防護具３０は、全体が半ズボン状を呈している。電磁波遮断ネットは、導電性繊維をメッシュ状に編んだものを半ズボン状にしたものであり、例えばメディカル・エイド株式会社製「ＭＧネット」からなる半ズボン（図示せず）である。そして、この電磁波遮断ネットの半ズボンを、例えばポリアミド製の表地３１ａ及び裏地３１ｂで挟み、重ねた周縁を縫合して下腹部用電磁波防護具３０が得られる。この下腹部用電磁波防護具３０では、装着時に電磁波遮断ネットが患者の下腹部を覆い、骨盤部内のステントやコイル、股関節に埋め込められている非磁性金属インプラントの発熱を予防し、刺青などの染料に含まれる金属成分の発熱や変色を予防し、生殖器官を保護する。
【００２２】
ウエスト３２や裾３３は袋状で、紐３５を通してあり、装着時に紐３５で縛ることによりウエスト３２や裾３３を窄めて身体の腹部や太腿との隙間を無くすることができる。また、紐３５の結び目の位置によりウエスト３２や裾３３の開口寸法を調節することができ、体形や体格の違う患者に対応できるようになる。
【００２３】
図５は、手・足・指を防護するための電磁波防護具（以下「手・足・指用電磁波防護具」）である。この手・足・指用電磁波防護具４０は、手または足を入れる袋状の本体部４１と緊急連絡用エアポンプ式ブザーを導入するための円筒状の枝部４２とを有している。
非磁性金属指輪（指輪が外せない場合は特に必要）の発熱、刺青などの染料に含まれる金属成分の発熱や変色を電磁波を遮蔽することで予防する。
患者は、緊急連絡用エアポンプ式ブザーを握り、ＭＲＩ検査中に体調不良を起こした時に、外部の検査員に報知するようになっており、球状のエアポンプ式ブザーを握った際にできる指のループに誘導電流が流れ火傷をするおそれがあるので、手や指を遮蔽する場合は、緊急連絡用ブザーを握った状態で遮蔽できる構造とする。
【００２４】
本体部４１は、電磁波遮断ネット、例えばメディカル・エイド株式会社製「ＭＧネット」からなる筒体の一部に、枝部４２に対応する開口を開けたものを用意し、これを例えばポリアミド製の表地及び裏地で挟み、重ねた周縁に沿って袋状に縫合して得られる。また、枝部４２は、同ネットからなる筒体を、例えばポリアミド製の表地及び裏地で挟み、重ねた周縁を縫合して得られる。そして、本体部４１の開口に枝部４２を装着し、両者を縫合して一体化して手・足・指用電磁波防護具４０とする。
【００２５】
また、本体部４１の手・足首挿入口４１ａや、枝部４２の緊急連絡用エアポンプ式ブザーの挿入口４２ａを袋状とし、それぞれ紐４３を通してもよい。そして、装着時に紐４３で窄めて手首や緊急連絡用エアポンプ式ブザーとの隙間を無くすることもできる。
【００２６】
尚、緊急連絡用エアポンプ式ブザーは左右の手の何れか一方で握ればよいため、図示される手・指用電磁波防護具４０は、左右の手の何れか一方でよく、他方は本体部４１のみとする。
【００２７】
図６は、頸部を防護するための電磁波防護具（以下「頸部用電磁波防護具」）であり、図６（Ａ）はその展開図、図６（Ｂ）は装着した状態を示す斜視図である。この頸部用電磁波防護具５０は、図６（Ａ）に示すように、帯状の本体部５１と、本体部５１の一方の長辺に縫い付けたスカート部５２とを有している。また、本体部５１の長手方向一端の裏地５３ｂに面ファスナー５５が、長手方向他端の表地５３ａには面ファスナー５６が縫い付けられており、装着時には、図６（Ｂ）に示すように、本体部５１を円筒状に円め、面ファスナー５５，５６で止めるようになっている。それとともに、スカート部５２は円形に広がり、頸部の下部から胸部の上部を覆う。面ファスナー５５，５６で止める位置により、患者の首の太さに応じて隙間を無くすることができる。
頸部用電磁波防護具は主に胸部・腹部用電磁波防護具と併用して使われ、胸部・腹部用電磁波防護具だけでは電磁波を遮蔽できない首回りの入れ墨や、頸部に埋め込められている非磁性金属の発熱を予防し、頭部MRI撮影時に頸部と胸部のRFパルスを遮蔽することにより、頸部と胸部の折り返しアーチファクト（反射による映り込み）を抑制することができる。
【００２８】
本体部５１は、電磁波遮断ネット、例えばメディカル・エイド株式会社製「ＭＧネット」からなる帯状体を、例えばポリアミド製の表地５３ａ及び裏地５３ｂで挟み、重ねた周縁を縫合して得られ、面ファスナー５５，５６を縫い付けている。また、スカート部５２は、同ネットからなる台形状の帯体を、例えばポリアミド製の表地及び裏地で挟み、重ねた周縁を縫合して得られる。
【００２９】
その他にも、図示は省略するが、電磁波防護具を一枚の帯状体とし、ＲＦパルスを遮蔽したい身体の部位、例えば腕や脚部に巻き付けて使用し、肘や膝にインプラントされている非磁性金属の人工関節の発熱や入れ墨などの染料に含まれる金属成分の発熱や変色を防止することもできる。
また、右足を拡大造影したい場合は左足に電磁波防護具を巻いて左足の折り返しアーチファクトを抑制することができ、肩の拡大造影をしたい場合は肘から下に電磁防護具を巻いて腕の折り返しアーチファクトを抑制することができる。
【００３０】
このように、本発明の電磁波防護具は、装着作業が安易であり、紐や面ファスナーにより装着部位との隙間を無くして遮蔽効果を高めることができるとともに、様々な体形や体格の患者に対応することもできる。また、表地及び裏地が樹脂製であるため、汚れても拭き取るだけで良く、洗濯が不要になるとともに、表面が滑らかであるため、検査着と擦れ合っても摩耗が少なく、耐久性も高い。更には、アルコール除菌クロスで拭くだけで除菌でき、衛生面にも優れ、使い回しも可能である。
【００３１】
上記では、電磁波防護具をＭＲＩ検査時に装着する形態について説明したが、特に胸部・腹部用電磁波防護具２０は心臓ペースメーカー等の埋込型医療機器やカプセル内視鏡をＲＦパルスから遮蔽できるため、ＭＲＩ検査時以外にも使用可能である。電磁波は見えないため、どこで発生しているか一般には不明であるが、胸部・腹部用電磁波防護具２０を装着することにより、心臓ペースメーカー等の埋込型医療機器を埋め込まれている患者やカプセル内視鏡検査を実施する患者は施設や建物、場所にかかわらず、活動できるようになる。
【符号の説明】
【００３２】
１  電磁波遮断ネット
２  樹脂製カバー
１０  導電性繊維
２０  胸部・腹部用電磁波防護具
３０  下腹部用電磁波防護具
４０  手・足・指用電磁波防護具
５０  頸部用電磁波防護具
【図１】
2019210564.tif 000003
【図２】
2019210564.tif 000004
【図３】
2019210564.tif 000005
【図４】
2019210564.tif 000006
【図５】
2019210564.tif 000007
【図６】
2019210564.tif 000008